(57)【要約】【課題】  電子機器を、その操作面を傾斜させて操作する姿勢としても、電子機器の姿勢を安定させ易い電子機器用ケースの提供。【解決手段】  スマートフォン２を傾斜姿勢とし、スマートフォン２の操作面２Ａをユーザが手指で押すように操作した場合でも、ユーザの手指による押圧力は、支え部１１で支えられるとともに、支え部１１の倒れは、開き角保持部１２の張力により支持される。このため、ユーザがその手指で操作面２Ａを押す動作をしても、スマートフォン２の傾斜姿勢を安定させ続けることができ、操作面２Ａの操作がし易い。【選択図】  図７
2018196081.tif 000002
【特許請求の範囲】
【請求項１】
操作面を有した電子機器を保持する機器保持部と、該機器保持部が取付けられた背面カバーと、前記操作面を覆うよう重ねることが可能な表面カバーと、前記背面カバーおよび表面カバーの一辺部どうしを繋げる連設部とを備え、
前記表面カバーおよび背面カバーは、前記連設部を介して互いに回動可能とされ、
該連設部を介して前記表面カバーおよび背面カバーを開くよう回動させ、前記背面カバーを前記表面カバーに対して傾斜させた状態において、前記表面カバーに対して傾斜して前記背面カバーを支える支え部、および該支え部と前記機器保持部との開き角を張力によって保持する開き角保持部を備えたことを特徴とする電子機器用ケース。
【請求項２】
前記支え部は、前記背面カバーの外面に取付けられ、前記開き角保持部は、前記支え部と前記表面カバーにおける一辺部との間に配置されている請求項１に記載の電子機器用ケース。
【請求項３】
前記背面カバーの一辺部側が前記機器保持部に対して回動可能とされて、該背面カバーの一辺部側が前記支え部とされ、前記開き角保持部は、前記支え部と前記機器保持部との間に配置されている請求項１に記載の電子機器用ケース。
【発明の詳細な説明】
【技術分野】
【０００１】
本発明は、スマートフォン等の電子機器を装着するための電子機器用ケースに関する。
【背景技術】
【０００２】
この種の電子機器用ケースが、例えば下記特許文献１に記載されている。特許文献１の電子機器用ケースは、電子機器である携帯用情報端末を着脱可能に保持する保持板と、保持板が取付けられた背面カバーと、携帯用情報端末の操作面（表面）を覆うよう重ねることが可能な表面カバーと、背面カバーおよび表面カバーの一辺部どうしを繋げる連設部とを備える。
【０００３】
表面カバーおよび背面カバーは、連設部を中心として互いに回動可能とされ、例えば、背面カバーに対し、連設部を中心として表面カバーを携帯用情報端末の表面に重ねるように回動させることで、携帯用情報端末の操作面を覆うことができる。
【０００４】
この電子機器用ケースは、携帯用情報端末で映画等の映像を視聴するために、例えば携帯用情報端末を机上に載せた際に、画面である操作面を傾斜させた状態とさせられるよう構成されている。このため、背面カバーの一辺部側が保持板に対して回動可能とされ、表面カバーの背面（携帯用情報端末の表面を覆う面）がマイクロファイバー繊維で形成されている。
【０００５】
この構成によれば、特許文献１の図５にあるように、保持板を背面カバーの一辺部側から離れるよう回動させるとともに保持板の一辺部を表面カバーの背面に載せると、背面カバーの一辺部側を保持板の支えとして、表面カバーの背面と保持板の接触部分の摩擦により、携帯用情報端末がその操作面を傾斜させた状態となる。
【先行技術文献】
【特許文献】
【０００６】
【特許文献１】特開２０１５−２１５７７１号公報
【発明の概要】
【発明が解決しようとする課題】
【０００７】
上記特許文献１に記載の電子機器用ケースを用いる場合、ユーザは、背面カバーの一辺部側を保持板の支えとし、表面カバーの背面と保持板との間の摩擦を利用して操作面を傾斜させた状態としたうえで、映像を視聴することができる。
【０００８】
しかしながら、ユーザが携帯用情報端末を操作するために携帯用情報端末の操作面を手指で押すと、表面カバーの背面と保持板の接触部分が離れ、摩擦が働かなり、操作面の傾斜を維持できなくなる。そうなると、携帯用情報端末が安定せず、操作面の操作がしにくい。
【０００９】
そこで本発明は、電子機器を、その操作面を傾斜させて操作する姿勢としても、電子機器の姿勢を安定させ易い電子機器用ケースの提供を目的とする。 
【課題を解決するための手段】
【００１０】
本発明の電子機器用ケースは、操作面を有した電子機器を保持する機器保持部と、該機器保持部が取付けられた背面カバーと、前記操作面を覆うよう重ねることが可能な表面カバーと、前記背面カバーおよび表面カバーの一辺部どうしを繋げる連設部とを備え、前記表面カバーおよび背面カバーは、前記連設部を介して互いに回動可能とされ、該連設部を介して前記表面カバーおよび背面カバーを開くよう回動させ、前記背面カバーを前記表面カバーに対して傾斜させた状態において、前記表面カバーに対して傾斜して前記背面カバーを支える支え部、および該支え部と前記機器保持部との開き角を張力によって保持する開き角保持部を備えたことを特徴としている。
【００１１】
上記構成を備えた本発明の電子機器用ケースでは、連設部を介して表面カバーおよび背面カバーを開くよう回動させ、背面カバーを表面カバーに対して傾斜させた状態において、機器保持部に保持された電子機器の操作面は、背面カバーとともに傾斜しており、支え部の支持力および開き角保持部の張力によって、背面カバーに取付けられた機器保持部の傾斜角度が表面カバーに対して保持されているから、ユーザがその手指で操作面を押す操作をしても、電子機器の姿勢が安定している。
【００１２】
本発明の電子機器用ケースでは、前記支え部は、前記背面カバーの外面に取付けられ、前記開き角保持部は、前記支え部と前記表面カバーにおける一辺部との間に配置された構成を採用できる。
【００１３】
上記構成の電子機器用ケースでは、背面カバーの外面に取付けられた支え部の支持力と、支え部と表面カバーにおける一辺部との間に配置された開き角保持部の張力によって、背面カバーに取付けられた機器保持部の傾斜角度が表面カバーに対して保持される。
【００１４】
本発明の電子機器用ケースでは、前記背面カバーの一辺部側が前記機器保持部に対して回動可能とされて、該背面カバーの一辺部側が前記支え部とされ、前記開き角保持部は、前記支え部と前記機器保持部との間に配置された構成を採用できる。
【００１５】
上記構成の電子機器用ケースでは、背面カバーの一辺部側とした支え部の支持力と、支え部と機器保持部との間に配置された開き角保持部の張力によって、背面カバーに取付けられた機器保持部の傾斜角度が表面カバーに対して保持される。
【発明の効果】
【００１６】
本発明の電子機器用ケースによれば、電子機器を、その操作面を傾斜させて操作する姿勢としても、電子機器の姿勢を安定させ易い。
【図面の簡単な説明】
【００１７】
【図１】本発明の一実施形態に係る電子機器用ケースにおいて、表面カバーを開いた状態の平面図である。
【図２】同表面カバーを閉じた状態の平面図である。
【図３】同表面カバーを閉じた状態の底面図である。
【図４】同表面カバーおよび背面カバー、並びに支持部の展開図である。
【図５】同表面カバーを開いて背面カバーと面一とした状態の、図１におけるＶ−Ｖ線断面図矢視図である。
【図６】同図５の状態からさらに表面カバーを開いた状態の底面図である。
【図７】同スマートフォンを傾斜姿勢として、電子機器用ケースを使用している状態の使用状態図である。
【図８】他の実施形態に係り、スマートフォンを傾斜姿勢として、電子機器用ケースを使用している状態の使用状態図である。
【発明を実施するための形態】
【００１８】
以下、本発明の一実施形態に係る電子機器用ケースを、図面を参照しつつ説明する。図１に示すように、電子機器用ケース１は、基本的な構成として、タッチパネル式の操作面２Ａを有した、電子機器の一例であるスマートフォン２を保持する機器保持部３と、機器保持部３が一体的に取付けられた背面カバー４と、図２に示すように、操作面２Ａを覆うよう重ねることが可能な表面カバー５と、背面カバー４および表面カバー５の一辺部どうしを繋げる連設部６とを備えている。
【００１９】
背面カバー４および表面カバー５は、スマートフォン２のサイズに対応したサイズで、矩形に形成されている。機器保持部３は、背面カバー４の表面側に重ねられる矩形状の板状部７と、板状部７の四辺から一体的に立上げられた枠部８とを備える。特に、枠部８の、短辺方向両側である幅方向両側に配置された立上部９は、スマートフォン２の表面（操作面２Ａ側の面）の幅方向両側辺部に重なるようにして、該幅方向両側辺部に弾性的に係止するよう構成されている。
【００２０】
連設部６は、背面カバー４および表面カバー５を相対的に回動可能とすべく、柔軟性が付与されている。本実施形態では該柔軟性を付与するために、連設部６には、短辺方向に直交する方向である長辺方向に離間して複数箇所に切欠１０が形成されている。
【００２１】
本実施形態における電子機器用ケース１は、支え部１１と、開き角保持部１２とを、さらに備えている。支え部１１は、連設部６を介して表面カバー５および背面カバー４を開くよう回動させ、背面カバー４を表面カバー５に対して傾斜させた状態において、表面カバー５に対して傾斜して背面カバー４を支える部分である。開き角保持部１２は、連設部６を介して表面カバー５および背面カバー４を開くよう回動させ、背面カバー４を表面カバー５に対して傾斜させ、表面カバー５に対して傾斜して背面カバー４を支え部１１で支えた状態において、支え部１１と機器保持部３との開き角を保持する部分である。
【００２２】
本実施形態では、図３に示すように、支え部１１および開き角保持部１２は、支持部１３として一体的に形成されている。この支持部１３は、表面カバー５および背面カバー４の表面側に設けられている。支持部１３は、表生地と裏生地とを縫着してなる本体部１４を備えている。図４に示すように、支持部１３は、幅方向途中部分で折曲可能な矩形形状に形成され、表面カバー５の表面幅方向途中部分、および背面カバー４の表面幅方向途中部分に渡すよう、その一方側長辺部１５を、第一縫着部１６を介して背面カバー４に縫着され、他方側長辺部１７を、第二縫着部１８を介して表面カバー５に縫着されている。
【００２３】
支持部１３のうち、背面カバー４側の幅方向途中部分の領域が支え部１１とされている。支え部１１は、矩形状に形成されており、可撓性に乏しく所定の硬さを有している。そのために、支え部１１では、図３に示すように、本体部１４に、例え硬質樹脂からなる硬質板２０が内装固定されている。
【００２４】
支持部１３のうち、表面カバー５側の幅方向途中部分の領域が開き角保持部１２とされている。開き角保持部１２は、矩形状に形成されており、可撓性、あるいは柔軟性に富み、伸縮性には乏しい。すなわち開き角保持部１２は、本体部１４を構成する前記表生地および裏生地で形成されている。支え部１１および開き角保持部１２の境界部２１は、容易に折れ曲がるよう構成されている。
【００２５】
図３に示すように、支持部１３は、表面カバー５でスマートフォン２の操作面２Ａを覆った被覆状態では、背面カバー４、連設部６、および表面カバー５に重なり、支持部１３は、被覆状態から連設部６を介して表面カバー５を回動させて開きはじめると、図５に示すように、背面カバー４、連設部６、および表面カバー５から離間する。すなわち、支持部１３の支え部１１は、第二縫着部１８を中心にして背面カバー４に対して傾斜するよう回動し、背面カバー４が傾斜した分だけ、開き角保持部１２全体が、境界部２１および第一縫着部１６を基準として撓むよう変形可能に構成されている。
【００２６】
上記構成の電子機器用ケース１は、スマートフォン２を機器保持部３に装着し、表面カバー５を背面カバー４に対し、連設部６を介して回動させてスマートフォン２の操作面２Ａを表面カバー５で覆えば、スマートフォン２の操作面２Ａを保護するように用いることができる。連設部６は切欠１０を有して弾性が低いから、表面カバー５は連設部６の弾性復元力では回動せず、したがって、操作面２Ａを覆った姿勢が保たれる。
【００２７】
この電子機器用ケース１は、スマートフォン２を、その操作面２Ａが例えば机上のような水平面に対して傾斜する傾斜姿勢として保持することが可能である。ここで、スマートフォン２を傾斜姿勢として、電子機器用ケース１により傾斜姿勢を保持させる手順を説明する。なお、スマートフォン２の傾斜姿勢とは、図７に示すように、表面カバー５とスマートフォン２との間の角度が鋭角となる姿勢である。
【００２８】
図３は、前述のように表面カバー５でスマートフォン２の操作面２Ａを覆った被覆状態であり、この被覆状態から図５に示すように、表面カバー５を回動させてスマートフォン２の操作面２Ａに対して表面カバー５を離間させるように開く。
【００２９】
そうすると、支持部１３において、支え部１１は第二縫着部１８を中心に回動して背面カバー４から離間し、背面カバー４に対して傾斜する。開き角保持部１２は、境界部２１および第一縫着部１６を基準に撓む。さらに表面カバー５をさらに開くと、図６に示すように、支持部１３において支え部１１は背面カバー４に対してさらに傾斜し、開き角保持部１２の撓み量はさらに大きくなる。但し、開き角保持部１２の撓み部分の位置は、表面カバー５を背面カバー４側へ開く（近付ける）ほど、境界部２１側から第一縫着部１６側へ移動する。
【００３０】
このようにして表面カバー５を開いて、表面カバー５を背面カバー４に近付けるよう回動し、図７に示すように、表面カバー５と背面カバー４（スマートフォン２）とを鋭角として、スマートフォン２を傾斜姿勢とする。
【００３１】
スマートフォン２の傾斜姿勢では、スマートフォン２の重みが背面カバー４を介して支え部１１に働く。そして支え部１１の境界部２１側端と表面カバー５との間には、支え部１１と背面カバー４との開き角が設定され、スマートフォン２の重みにより支え部１１を倒す方向に働く力が開き角保持部１２の張力により支持される。なお、連設部６は柔軟性に富んでいることから、スマートフォン２の傾斜姿勢では、背面カバー４側の端部で大きく折れ曲がる。
【００３２】
上記のようにしてスマートフォン２を傾斜姿勢とし、スマートフォン２の操作面２Ａをユーザが手指で押すように操作した場合でも、ユーザの手指による押圧力は、支え部１１で支えられるとともに、支え部１１の倒れは、開き角保持部１２の張力により支持される。このため、ユーザがその手指で操作面２Ａを押す動作をしても、スマートフォン２の傾斜姿勢を安定させ続けることができ、操作面２Ａの操作がし易い。
【００３３】
本発明の電子機器用ケース１は、上記実施形態に限定されない。例えば、図８に示す別の実施形態のように、支え部１１を背面カバー４の一部として兼用することもできる。図８に示す実施形態では、背面カバー４の一辺部側が、機器保持部３に対して回動可能とされ、所定の硬さ有した支え部１１とされている。背面カバー４の他辺側部２５は、機器保持部３の他辺部側を覆うよう板状部７に固定されている。
【００３４】
開き角保持部１２は柔軟性を有して、支え部１１と機器保持部３の板状部７との間に渡すように配置されている。開き角保持部１２の一端側は支え部１１に縫着して固定され、他端側は機器保持部３の板状部７の裏面に接着により固定されている。また、開き角保持部１２は電子機器用ケース１の長手方向に亘るよう設けられている。他の構成は上記実施形態と同様であるので、同一の機能を有する構成部品には同一の符合を付してその説明を繰返さない。
【００３５】
この構成の電子機器用ケース１によれば、背面カバー４において支え部１１と他辺側部２５との境界部分において、他辺側部２５に対し支え部１１を折曲げるよう回動させて、表面カバー５に対しスマートフォン２（機器保持部３）を傾斜姿勢とする。
【００３６】
そうすると、スマートフォン２の操作面２Ａをユーザが手指で押すように操作した場合でも、ユーザの手指による押圧力は、支え部１１で支えられるとともに、支え部１１に働く倒れ方向の力は、支え部１１と機器保持部３の板状部７との間に渡した開き角保持部１２の張力により支持される。このため、スマートフォン２の傾斜姿勢を安定させて維持させることができる。
【００３７】
以上の実施形態のように、支え部１１の回動中心となる部分は、機器保持部３側にあり、開き角保持部１２の一端側を取付ける対象部分としては支え部１１側であるいっぽうで、開き角保持部１２の他端側を取付ける対象部分は機器保持部３側であっても、表面カバー５側であってもよい。
【００３８】
上記各実施形態では、支持部１３（支え部１１あるいは開き角保持部１２）は、電子機器用ケース１の長手方向に亘るよう設けられた場合を例示した。しかしながら、支持部１３（支え部１１あるいは開き角保持部１２）は、必ずしも電子機器用ケース１の長手方向に亘る必要はなく、電子機器用ケース１の長手方向途中部分に配置したり、あるいは電子機器用ケース１の長手方向に離間して配置させたりすることもできる。
【００３９】
上記各実施形態では、連設部６に切欠１０を形成することで、連設部６を柔軟な構成としたが、切欠１０を形成することに代えて、柔軟な材料で形成してもよい。機器保持部３は板状部７と枠部８とを備えた構成を例示した。しかしながら、機器保持部は、例えば枠部のみからなる構成であったり、スマートフォン２の四隅に係止して保持する構成としたりすることもできる。
【００４０】
上記実施形態では開き角保持部１２の両端側あるいは一端側は縫着により対象部分に固定した。しかしながら、開き角保持部１２の両端側あるいは一端側の双方は、接着により対象部分に固定することもできる。なお、上記各実施形態では、電子機器としてスマートフォン２を例示した。しかしながら、電子機器としては板状であり、操作面を有する機器であればスマートフォン２に限定されない。
【符号の説明】
【００４１】
１…電子機器用ケース、２…スマートフォン、２Ａ…操作面、３…機器保持部、４…背面カバー、５…表面カバー、６…連設部、７…板状部、８…枠部、１１…支え部、１２…開き角保持部、１３…支持部、１５…一方側長辺部、１７…他方側長辺部、２０…硬質板、２１…境界部
【図１】
2018196081.tif 000003
【図２】
2018196081.tif 000004
【図３】
2018196081.tif 000005
【図４】
2018196081.tif 000006
【図５】
2018196081.tif 000007
【図６】
2018196081.tif 000008
【図７】
2018196081.tif 000009
【図８】
2018196081.tif 000010